(57)【要約】【課題】文字候補画像の切り替わりを容易に認識することが可能とすること。【解決手段】入力する文字の候補を示す画像を表示する（Ｓ１０）表示部と、前記画像の表示を切り替えるための指示を入力する（Ｓ１４）入力部と、前記指示が入力すると、前記表示部に前記画像とは異なる画像を表示した（Ｓ２４）後、切り替え後の文字の候補を示す別の画像を表示する（Ｓ２８）表示制御部と、を具備する電子装置。画像を切り替える際に表示していた画像とは異なる画像を表示するため、利用者は文字の候補が切り替わったことを認識することができる。【選択図】図３
2010231596.tif 000002
【特許請求の範囲】
【請求項１】
入力する文字の候補を示す画像を表示する表示部と、
前記画像の表示を切り替えるための指示を入力する入力部と、
前記指示が入力すると、前記表示部に前記画像とは異なる画像を表示した後、切り替え後の文字の候補を示す別の画像を表示する表示制御部と、
を具備することを特徴とする電子装置。
【請求項２】
前記画像は、複数の前記文字入力キーにそれぞれ対応する複数の文字の候補をそれぞれ示す複数の画像であり、
前記表示制御部は、前記複数の画像のうち、切り替え前後で表示の異なる文字の候補の画像に代え異なる画像を表示し、切り替え前後で表示の同じ文字の候補の画像をそのまま表示することを特徴とする請求項１記載の電子装置。
【請求項３】
前記画像の表示を切り替えるための指示は、前記文字の候補の少なくとも一部を対応する派生文字の候補に切り替えるための指示であることを特徴とする請求項１または２記載の電子装置。
【請求項４】
前記異なる画像は、前記画像を縮小した画像であることを特徴とする請求項１から３のいずれか一項記載の電子装置。
【請求項５】
前記派生文字は、大文字、小文字、半角文字、全角文字、濁音文字または半濁音文字であることを特徴とする請求項３記載の電子装置。
【請求項６】
前記文字の候補は、文字を入力する文字入力キーに対応する文字の候補であることを特徴とする請求項１から５のいずれか一項記載の電子装置。
【請求項７】
前記画像は、対応する前記文字の候補を入力する入力キーであることを特徴とする請求項１から６のいずれか一項記載の電子装置。
【請求項８】
前記入力部は、前記表示画面に表示された入力キーであることを特徴とする請求項１から７のいずれか一項記載の電子装置。
【請求項９】
入力する文字の候補を示す画像を表示するステップと、
前記画像の表示を切り替えるための指示を入力するステップと、
前記指示が入力すると、前記表示部に前記画像とは異なる画像を表示した後、切り替え後の文字の候補を示す別の画像を表示するステップと、
を含むことを特徴とする表示方法。
【請求項１０】
コンピュータに、
入力する文字の候補を示す画像を表示するステップと、
前記画像の表示を切り替えるための指示を入力するステップと、
前記指示が入力すると、前記表示部に前記画像とは異なる画像を表示した後、切り替え後の文字の候補を示す別の画像を表示するステップと、
を実行する表示プログラム。
【発明の詳細な説明】
【技術分野】
【０００１】
本発明は、電子装置、表示方法および表示プログラムに関する。本発明は、例えば、文字入力キーに対応する文字候補の画像を表示する電子装置、表示方法および表示プログラムに関する。
【背景技術】
【０００２】
表示画面を有する電子装置が多く用いられている。例えば携帯電話端末においては、文字を入力するための文字入力キーを多く配置できないため、１つの文字入力キーに複数の文字を割り当てる。文字入力キーに対応する文字候補を認識するため、１つの文字入力キーに対応する複数の文字候補を表示画面に表示することがある。利用者は、表示画面上の複数の文字候補を視認しながら、入力する文字を選択することができる。
【０００３】
特許文献１には、半角文字一覧と全角文字一覧とを切り替えて表示する際に、対応する半角文字と全角文字とを表示画面上の同じ位置に表示する技術が開示されている。特許文献２には、テンキーに対する複数の文字候補の一覧を全角や半角等の入力モードに対応付けて表示する技術が開示されている。特許文献３には、派生文字を有する文字が指定された場合、所定の文字入力ボタンを派生文字入力ボタンに変更する技術が開示されている。
【先行技術文献】
【特許文献】
【０００４】
【特許文献１】特開平１１−３５３０７３号公報
【特許文献２】特開２００１−１４０８６号公報
【特許文献３】特開２００７−１５６７７８号公報
【発明の概要】
【発明が解決しようとする課題】
【０００５】
しかしながら、複数の文字候補の画像が切り換わった際に、利用者はどの文字が切り換わったか認識できないことがある。例えば、半角文字と全角文字等の派生文字の切り替わりは文字の変化が小さいため、利用者は表示画面が切り替わったか否かを認識し難い。
【０００６】
本電子装置、表示方法および表示プログラムは、上記課題に鑑みなされたものであり、文字候補画像の切り替わりを容易に認識することが可能とすることを目的とする。
【課題を解決するための手段】
【０００７】
本電子装置は、入力する文字の候補を示す画像を表示する表示部と、前記画像の表示を切り替えるための指示を入力する入力部と、前記指示が入力すると、前記表示部に前記画像とは異なる画像を表示した後、切り替え後の文字の候補を示す別の画像を表示する表示制御部と、を具備する。
【０００８】
本表示方法は、入力する文字の候補を示す画像を表示するステップと、前記画像の表示を切り替えるための指示を入力するステップと、前記指示が入力すると、前記表示部に前記画像とは異なる画像を表示した後、切り替え後の文字の候補を示す別の画像を表示するステップと、を含む。
【０００９】
本表示プログラムは、コンピュータに、入力する文字の候補を示す画像を表示するステップと、前記画像の表示を切り替えるための指示を入力するステップと、前記指示が入力すると、前記表示部に前記画像とは異なる画像を表示した後、切り替え後の文字の候補を示す別の画像を表示するステップと、を実行する。
【発明の効果】
【００１０】
本電子装置、表示方法および表示プログラムによれば、画像を切り替える際にそれまで表示していた画像とは異なる画像を表示するため、利用者は文字の候補が切り替わったことを認識することができる。
【図面の簡単な説明】
【００１１】
【図１】図１（ａ）および図１（ｂ）は、実施例１に係る携帯電話端末のブロック図および機能ブロック図である。
【図２】図２は、実施例１に係る携帯電話端末を示した図である。
【図３】図３は、制御部の処理を示すフローチャートである。
【図４】図４（ａ）〜図４（ｃ）は、画面表示の例（その１）である。
【図５】図５（ａ）〜図５（ｃ）は、画面表示の例（その２）である。
【図６】図６（ａ）〜図６（ｃ）は、画面表示の例（その３）である。
【図７】図７（ａ）〜図７（ｃ）は、画面表示の例（その４）である。
【図８】図８（ａ）〜図８（ｃ）は、画面表示の例（その５）である。
【図９】図９（ａ）〜図９（ｃ）は、画面表示の例（その６）である。
【図１０】図１０（ａ）〜図１０（ｃ）は、画面表示の例（その７）である。
【図１１】図１１（ａ）〜図１１（ｃ）は、画面表示の例（その８）である。
【図１２】図１２（ａ）〜図１２（ｃ）は、画面表示の例（その９）である。
【図１３】図１３（ａ）〜図１３（ｃ）は、画面表示の例（その１０）である。
【図１４】図１４（ａ）〜図１４（ｂ）は、画面表示の例（その１１）である。
【図１５】図１５（ａ）〜図１５（ｃ）は、画面表示の例（その１２）である。
【発明を実施するための形態】
【００１２】
以下、図面を参照に、携帯電話端末を例とした表示方法および表示プログラムの実施例について説明する。
【実施例１】
【００１３】
図１は、実施例1に係る携帯電話端末のブロック図である。図１のように、携帯電話端末１０は、ＣＰＵ（Central Processing Unit）１２、表示部１５、メモリ１６および無線部１７を備えている。ＣＰＵ１２は、表示部１５を制御する表示制御部として機能する。また、無線部１７の制御を行うことができる。表示部１５は、画面表示部１３とタッチパネル１４を備えており、文字入力キーおよび文字の候補を表示する。利用者は、表示部１５の表示画面を触ることにより、文字の入力が可能である。メモリ１６は、揮発性メモリや不揮発性メモリであり、文字入力キー等の画像を記憶する。無線部１７は、基地局との通信を行う。
【００１４】
図１（ｂ）は、ＣＰＵ１２やコンピュータが表示プログラムを実行した際の機能ブロック図である。ＣＰＵ１２は表示プログラムを実行し、表示制御部１１として機能する。入力部１８は、利用者が文字の候補の画像の表示を切り替えるためのものであり、例えば全角半角または大文字小文字を切り替えるための表示画面上の入力キーである。
【００１５】
図２は、実施例１に係る携帯電話端末の示した図である。図２のように、携帯電話端末１０の表面には表示部１５の表示画面が設けられている。表示画面には、電池電波表示画面２２、文字候補表示画面２３、文字入力キー表示画面２４を含んでいる。電池電波表示画面２２は、電池の充電状態や電波の受信状態を示す画面である。文字入力キー表示画面２４は文字入力キーを表示する画面である。文字入力キーは、タッチパネルを用いたソフトキーであり、例えばテンキーに対応する。なお、文字入力キーはハードキーでもよい。
【００１６】
文字候補表示画面２３は、文字入力キーに割り当てられた文字の候補を表示する画面である。図２の例は、文字入力テンキーのうち「１」に対応する複数の文字の候補を示す複数の画像を表示している。この画面の例では、文字候補は「あ」、「い」、「う」、「え」、「お」、「．」、「／」、「＠」、「−」および「１」であり、それぞれに対応するアイコン（文字の候補を示す画像）が表示されている。「大／小」アイコンは、文字候補の大文字または小文字の切り替えキーである。「全角半角」アイコンは文字候補の全角半角の切り替えキーである。利用者は、文字候補のうち任意のアイコンを選択する（例えばアイコンを押下する）ことにより、複数の文字候補の中から所望の文字を選択することができる。
【００１７】
また、「全角半角」アイコンを押下することにより、文字候補を全角から半角または半角から全角に切り替えることができる。図２では、破線３３の文字候補が全角と半角とを有する文字である。そこで、「全角半角」アイコンを押下することにより、破線３３の文字候補を全角から半角または半角から全角に切り替えることができる。
【００１８】
図３は、表示制御部１１が行う表示方法の処理を示すフローチャートである。まず、表示制御部１１は、表示部１５に複数の文字の候補の画像を表示させる（ステップＳ１０）。表示制御部１１は、いずれかのアイコンが押下されたか判断する（ステップＳ１２）。Ｎｏの場合、ステップＳ１２に戻る。Ｙｅｓの場合、表示制御部１１は、切り替えキー（入力部１８に対応する）が押下されたか判断する（ステップＳ１４）。例えば、図２の「全角半角」アイコンまたは「大／小」アイコンが押下されたか判断する。Ｎｏの場合、ステップＳ１４に戻る。Ｙｅｓの場合、表示制御部１１は、メモリ１６から切り替え前の文字列を取得する（ステップＳ１６）。例えば、図２の文字候補に対応する文字列のデータを取得する。表示制御部１１は、切り替え後の文字列を取得する（ステップＳ１８）。
【００１９】
表示制御部１１は、切り替え後に表示部１５に表示する画像を生成する（ステップＳ２０）。表示制御部１１は、切り替えで変化する文字候補を抽出する（ステップＳ２２）。例えば、ステップＳ１２で「全角半角」アイコンが押下された場合、図２の破線３３内の文字候補を抽出する。表示制御部１１は、ステップＳ２２で抽出された文字候補のアイコンを縮小表示する（ステップＳ２４）。表示制御部１１は、縮小表示を表示する時間が経過したか判断する（ステップＳ２６）。Ｎｏの場合、ステップＳ２６に戻る。Ｙｅｓの場合、切り替え後の文字候補を示す画像を表示する（ステップＳ２８）。
【００２０】
図４（ａ）から図４（ｃ）は、表示制御部１１が図３の処理を行った際の表示画面の例を示す図である。図４（ａ）を参照し、図３のステップ１０において表示制御部１１は、「１」キーに対応する文字候補画像を表示部１５に表示させる。図３のステップＳ１４において「全角半角」アイコン３２が押下される。図４（ｂ）を参照し、図３のステップＳ２４において、表示制御部１１は破線３３内のアイコンを縮小し表示部１５に表示させる。このとき、図４（ｂ）のように文字を表示せず、アイコンのみを縮小させてもよいが、文字を表示してアイコンを縮小表示してもよい。図４（ｃ）を参照し、図３のステップＳ２８において、表示制御部１１は、破線３３内の文字候補を半角のアイコンとし表示部１５に表示させる。
【００２１】
以下、アイコンを切り替える別の例を説明する。
【００２２】
図５（ａ）のように、かな英数モードで、テンキーのうち「１」キーに対応するひらがなと記号が表示部１５に表示されている場合に「大／小」アイコン３６が押下されると、破線３８内のひらがなの文字候補が小文字に切り替わる。そこで、図５（ｂ）のように、破線３８内のひらがなの文字候補のアイコンが縮小表示される。その後、図５（ｃ）のように、破線３８内のひらがなの文字候補のアイコンが小文字に切り替わる。
【００２３】
図６（ａ）のように、かな英数モードで、テンキーのうち「６」キーに対応するひらがなと英文字が表示部１５に表示されている場合に「゛゜大／小」アイコン４０が押下されると、破線４２内のひらがなおよび英文字の文字候補が濁音文字および小文字に切り替わる。そこで、図６（ｂ）のように、破線４２内のひらがなおよび英文字の文字候補のアイコンが縮小表示される。その後、図６（ｃ）のように、破線４２内のひらがなの文字候補のアイコンが濁音文字に、英文字の文字候補のアイコンが小文字に切り替わる。
【００２４】
図７（ａ）のように、かな英数モードで、テンキーのうち「４」キーに対応するひらがなと英文字が表示部１５に表示されている場合に「゛゜大／小」アイコン４０が押下されると、破線４４内のひらがなおよび英文字の文字候補が濁音文字および小文字に切り替わる。しかし、ひらがなのうち「っ」アイコンは濁音文字には切り替わらない。そこで、図７（ｂ）のように、「っ」アイコンを除く破線４４内のひらがなおよび英文字の文字候補のアイコンが縮小表示される。その後、図７（ｃ）のように、破線４４内のひらがなの文字候補のアイコンが濁音文字に、英文字の文字候補のアイコンが小文字に切り替わる。
【００２５】
図８（ａ）のように、かな英数モードでひらがなが表示されている場合に「゛゜大／小」アイコン４０が押下されると、破線４６内のひらがなの文字候補が濁音文字および小文字に切り替わる。しかし、濁音または小文字のないひらがな「な」、「ま」および「ら」アイコンは濁音文字または小文字には切り替わらない。そこで、図８（ｂ）のように、「な」、「ま」および「ら」アイコンを除く破線４６内のひらがなの文字候補のアイコンが縮小表示される。その後、図８（ｃ）のように、破線４６内のひらがなの文字候補のアイコンが濁音文字または小文字の文字候補のアイコンに切り替わる。
【００２６】
図９（ａ）のように、かな英数モードでひらがなの濁音文字または小文字が表示されている場合に「゛゜大／小」アイコン４０が押下されると、半濁音文字に切り替わる。半濁音文字に切り替わる文字候補は破線４８内の「ば」アイコンだけである。そこで、図９（ｂ）のように、「ば」アイコンが縮小表示される。その後、図９（ｃ）のように、「ば」アイコンが半濁音文字である「ぱ」アイコンに切り替わる。
【００２７】
図１０（ａ）のように、アルファベットモードで英文字および数字が表示されている場合に「全角半角」アイコン３２が押下されると、破線５０内の全角の英文字および数字の文字候補が半角に切り替わる。そこで、図１０（ｂ）のように、破線５０内の英文字および数字の文字候補のアイコンが縮小表示される。その後、図１０（ｃ）のように、破線５０内の英文字および数字の文字候補のアイコンが半角の文字候補のアイコンに切り替わる。
【００２８】
図１１（ａ）のように、数字モードで数字が表示されている場合に「全角半角」アイコン３２が押下されると、破線５２内の全角の数字の文字候補が半角に切り替わる。そこで、図１１（ｂ）のように、破線５２内の数字の文字候補のアイコンが縮小表示される。その後、図１１（ｃ）のように、破線５２内の数字の文字候補のアイコンが半角の文字候補のアイコンに切り替わる。
【００２９】
図１２（ａ）のように、カタカナモードでカタカナが表示されている場合に「大／小」アイコン３６が押下されると、破線５４内のカタカナの文字候補が小文字に切り替わる。しかし、「ヴ」には小文字がない。そこで、図１２（ｂ）のように、「ヴ」アイコンを除く破線５４内のカタカナの文字候補のアイコンが縮小表示される。その後、図１２（ｃ）のように、破線５４内のカタカナの文字候補のアイコンが小文字に切り替わる。
【００３０】
図１３（ａ）のように、カタカナモードで全角のカタカナが表示されている場合に「全角半角」アイコン３２が押下されると、破線５６内のカタカナの文字候補が半角に切り替わる。そこで、図１３（ｂ）のように、破線５６内のカタカナの文字候補のアイコンが縮小表示される。その後、図１３（ｃ）のように、破線５６内のカタカナの文字候補のアイコンが半角文字に切り替わる。
【００３１】
図１４（ａ）のように、半角記号モードで半角の記号が表示されている場合に、表示画面以外の操作により全角記号が表示される。図１４（ｂ）のように、半角記号モードで表示されていた半角記号とは異なる記号の全角の記号が表示される。この場合、文字候補のアイコンは縮小表示しなくてもよい。
【００３２】
図１５（ａ）のように、全角記号モードで全角の記号が表示されている場合に「次ページ」アイコン５８（または「前ページ」アイコン）が押下されると、図１５（ｃ）のように、図１５（ａ）の破線６０内のアイコンは全て異なる記号が表示される。この場合、図１５（ｂ）のように、文字候補のアイコンを縮小表示してもよい。文字候補が派生文字でなく異なる文字に切り替わる場合、図１４（ａ）から図１４(ｃ)のように、アイコンを縮小表示しなくてもよいし、図１５（ａ）から図１５(ｃ)のように、アイコンを縮小表示してもよい。
【００３３】
実施例１によれば、図３のステップＳ１０のように、表示部１５が入力する文字の候補の画像（例えばアイコン）を表示する。その後、ステップＳ１４のように入力部１８に文字の候補の画像（例えばアイコン）の表示を切り替えるための指示が入力する。ステップＳ２４のように、表示制御部１１は、表示部１５に表示していた画像（例えばアイコン）とは異なる画像（例えば縮小したアイコン）を表示させる。その後、ステップＳ２８のように、切り替え後の文字の候補を示す別の画像（例えばアイコン）を表示させる。このように、画像を切り替える際にそれまで表示していた画像とは異なる画像を表示するため、利用者は文字の候補が切り替わったことを認識することができる。
【００３４】
なお、表示を切り替えるための指示を入力する入力部１８は、実施例１の「大／小」アイコン、「全角半角」アイコンのように、タッチパネルを利用した表示画面に表示された入力キーとすることができる。また、表示画面以外のハードキーとすることもできる。
【００３５】
また、図３のステップＳ２２のように、表示制御部１１は、複数の文字候補に対応する複数の画像のうち、切り替え前後で表示の異なる文字の候補の画像に代え異なる画像を表示する。そして、切り替え前後で表示の同じ文字の候補の画像をそのまま表示することができる。切り替え前後で表示の異なる文字に対して、異なる画像を表示することにより、利用者は切り替え前後で表示の異なる文字を認識することができる。
【００３６】
さらに、文字候補に対応する複数の画像の表示を切り替えるための指示は、文字の候補の少なくとも一部を対応する派生文字の候補に切り替えるための指示とすることができる。文字候補を派生文字に切り替える場合、利用者はどの文字が切り替わったか認識しにくい。そこで、派生文字に切り替える際に異なる画像を表示することで、利用者は文字候補の切り替えを認識することができる。ここで、派生文字は、例えば、大文字、小文字、半角文字、全角文字、濁音文字または半濁音文字である。
【００３７】
実施例１では、異なる画像として、文字候補に対応する画像（例えばアイコン）を縮小した画像としている。異なる画像は、例えば色を変えた画像、点滅させた画像、拡大した画像等の縮小した画像以外の画像でもよい。
【００３８】
切り替える文字の候補としては、例えばテンキー等の文字を入力する文字入力キーに対応した文字の候補（例えば、図４（ａ）のように、文字入力キー「１」に対応した文字候補）とすることができる。
【００３９】
実施例１においては、電子装置として携帯電話端末を例に説明したが、他の電子装置でもよい。携帯電話端末のように携帯電子装置は、文字入力キーの数が少ないため、少ない文字入力キー（例えばテンキー）に複数の文字候補を対応させることとなる。よって、利用者に文字候補の切り替えを認識させるため、図３のような動作を行うことが特に有効である。
【００４０】
以上、本発明の実施例について詳述したが、本発明は係る特定の実施例に限定されるものではなく、特許請求の範囲に記載された本発明の要旨の範囲内において、種々の変形・変更が可能である。
【符号の説明】
【００４１】
１０        携帯電話端末
１１        表示制御部
１２        制御部
１３        画面表示部
１４        タッチパネル
１５        表示部
１６        メモリ
【図１】
2010231596.tif 000003
【図２】
2010231596.tif 000004
【図３】
2010231596.tif 000005
【図４】
2010231596.tif 000006
【図５】
2010231596.tif 000007
【図６】
2010231596.tif 000008
【図７】
2010231596.tif 000009
【図８】
2010231596.tif 000010
【図９】
2010231596.tif 000011
【図１０】
2010231596.tif 000012
【図１１】
2010231596.tif 000013
【図１２】
2010231596.tif 000014
【図１３】
2010231596.tif 000015
【図１４】
2010231596.tif 000016
【図１５】
2010231596.tif 000017